【手続補正書】
【提出日】平成29年2月7日(2017.2.7)
【手続補正１】
【補正対象書類名】特許請求の範囲
【補正対象項目名】全文
【補正方法】変更
【補正の内容】
【特許請求の範囲】
【請求項１】
装置間通信で使用可能な無線リソースである１つ以上のリソースプールを示す情報を取得する取得部と、
前記１つ以上のリソースプールを端末装置に通知する制御部と、
を備え、
前記１つ以上のリソースプールは、装置間通信で使用可能な無線リソースの候補として予め定められた複数のリソースプールを含むリソースプールセットの中から選択されたリソースプールである、
装置。
【請求項２】
前記装置は、基地局、基地局のための基地局装置、又は当該基地局装置のためのモジュールである、請求項１に記載の装置。
【請求項３】
前記制御部は、前記１つ以上のリソースプールを示すシステム情報の報知により、前記１つ以上のリソースプールを端末装置に通知する、
請求項２に記載の装置。
【請求項４】
前記装置は、端末装置、又は端末装置のためのモジュールである、請求項１に記載の装置。
【請求項５】
前記制御部は、前記１つ以上のリソースプールの各々で、前記１つ以上のリソースプールを端末装置に通知する、請求項４に記載の装置。
【請求項６】
前記制御部は、前記リソースプールセットに含まれる所定のリソースプールで、前記１つ以上のリソースプールを端末装置に通知する、請求項４に記載の装置。
【請求項７】
前記制御部は、前記１つ以上のリソースプールの各々での同期信号の送信を制御する、請求項４に記載の装置。
【請求項８】
前記複数のリソースプールの各々は、自らを識別するための識別情報を有し、
前記制御部は、前記１つ以上のリソースプールの各々の識別情報の送信により、前記１つ以上のリソースプールを端末装置に通知する、
請求項１に記載の装置。
【請求項９】
前記１つ以上のリソースプールは、ネットワークカバレッジ内における前記装置間通信に利用可能なインカバレッジ用リソースプールと、ネットワークカバレッジ外における前記装置間通信に利用可能なアウトオブカバレッジ用リソースプールを含み、
前記インカバレッジ用リソースプール及び前記アウトオブカバレッジ用リソースプールは、端末装置における受信電力に基づいて使い分けられる、
請求項１に記載の装置。
【請求項１０】
前記１つ以上のリソースプールの各々は、所定の優先度に紐付けられている、
請求項９に記載の装置。
【請求項１１】
前記所定の優先度は、前記１つ以上のリソースプールの各々で提供されるアプリケーションに関連して設定される、
請求項１０に記載の装置。
【請求項１２】
前記所定の優先度は、前記アプリケーションの緊急度に関連して設定される、
請求項１１に記載の装置。
【請求項１３】
前記所定の優先度は、所定のユースケースとして参照される、
請求項１０に記載の装置。
【請求項１４】
装置間通信で使用可能な無線リソースである１つ以上のリソースプールを示す情報を取得する取得部と、
前記１つ以上のリソースプールのうちの少なくとも１つのリソースプールでの端末装置による装置間通信を制御する制御部と、
を備え、
前記１つ以上のリソースプールは、装置間通信で使用可能な無線リソースの候補として予め定められた複数のリソースプールを含むリソースプールセットの中から選択されたリソースプールである、
装置。
【請求項１５】
前記１つ以上のリソースプールは、基地局又は他の端末装置が前記端末装置に通知するリソースプールである、請求項１４に記載の装置。
【請求項１６】
前記１つ以上のリソースプールを示す前記情報は、前記１つ以上のリソースプールの各々で前記他の端末装置により同期信号とともに送信される情報であり、
前記取得部は、前記リソースプールセットに含まれるリソースプールであって、前記端末装置により同期信号が検出される前記リソースプールで、前記端末装置により受信される情報の中から、前記１つ以上のリソースプールを示す前記情報を取得する、
請求項１５に記載の装置。
【請求項１７】
前記１つ以上のリソースプールは、前記リソースプールセットに含まれる所定のリソースプールで前記他の端末装置が前記端末装置に通知するリソースプールであり、
前記取得部は、前記所定のリソースプールで前記端末装置により受信される情報の中から、前記１つ以上のリソースプールを示す前記情報を取得する、
請求項１５に記載の装置。
【手続補正２】
【補正対象書類名】明細書
【補正対象項目名】００７０
【補正方法】変更
【補正の内容】
【００７０】
（端末装置３００）
端末装置３００は、基地局との無線通信を行う。例えば、端末装置３００は、基地局１００のセル１０１内に位置する場合に、基地局１００との無線通信を行う。
【手続補正３】
【補正対象書類名】明細書
【補正対象項目名】０２０６
【補正方法】変更
【補正の内容】
【０２０６】
（プライマリリソースプール）
例えば、上記プライマリリソースプールは、基地局１００又は端末装置２００が端末装置３００に通知するリソースプールである。
【手続補正４】
【補正対象書類名】明細書
【補正対象項目名】０２５８
【補正方法】変更
【補正の内容】
【０２５８】
（具体的な処理）
例えば、制御部２４３は、上記インカバレッジ用リソースプールでＤ２Ｄ通信の信号を送信するための送信処理を行う。また、制御部３４３は、上記アウトカバレッジ用リソースプールでＤ２Ｄ通信を送信するための送信処理を行う。
【手続補正５】
【補正対象書類名】明細書
【補正対象項目名】０３１２
【補正方法】変更
【補正の内容】
【０３１２】
基地局１００は、１つ以上のリソースプール及びリソースプールグループを示すシステム情報を報知する（Ｓ４８１）。
【手続補正６】
【補正対象書類名】明細書
【補正対象項目名】０３１５
【補正方法】変更
【補正の内容】
【０３１５】
端末装置２００は、１つ以上のリソースプール及びリソースプールグループを、当該１つ以上のリソースプールグループの各々で端末装置に通知する（Ｓ４８５）。例えば、端末装置２００は、上記１つ以上のリソースプールを示すリソースプール情報、及び上記リソースプールを示すリソースプールグループ情報を、上記１つ以上のリソースプールの各々で送信する。
【手続補正７】
【補正対象書類名】明細書
【補正対象項目名】０３４８
【補正方法】変更
【補正の内容】
【０３４８】
基地局１００は、１つ以上のリソースプールと、当該１つ以上のリソースプールの各々で行われるＤ２Ｄ通信の用途とを示すシステム情報を報知する（Ｓ４９１）。
【手続補正８】
【補正対象書類名】明細書
【補正対象項目名】０３５１
【補正方法】変更
【補正の内容】
【０３５１】
端末装置２００は、１つ以上のリソースプールと、当該１つ以上のリソースプールの各々で行われるＤ２Ｄ通信の用途とを、リソースプールで端末装置に通知する（Ｓ５０１）。例えば、端末装置２００は、上記１つ以上のリソースプールを示すリソースプール情報、及び上記用途を示す用途情報を、上記リソースプールで送信する。
【手続補正９】
【補正対象書類名】明細書
【補正対象項目名】０３８２
【補正方法】変更
【補正の内容】
【０３８２】
（Ｄ２Ｄ通信）
制御部３４３は、基地局１００又は端末装置２００が端末装置３００に通知する１つ以上のリソースプールのうちの少なくとも１つのリソースプールでの、端末装置３００による上記所望の用途でのＤ２Ｄ通信を制御する。上記１つ以上のリソースプールは、Ｄ２Ｄ通信で使用可能な無線リソースであり、且つ上記所望の用途でＤ２Ｄ通信が行われるリソースプールである。
【手続補正１０】
【補正対象書類名】図面
【補正対象項目名】図９
【補正方法】変更
【補正の内容】
【図９】
2016032252.tif 000001
【手続補正１１】
【補正対象書類名】図面
【補正対象項目名】図１０
【補正方法】変更
【補正の内容】
【図１０】
2016032252.tif 000002
【手続補正１２】
【補正対象書類名】図面
【補正対象項目名】図１１
【補正方法】変更
【補正の内容】
【図１１】
2016032252.tif 000003
【手続補正１３】
【補正対象書類名】図面
【補正対象項目名】図１３
【補正方法】変更
【補正の内容】
【図１３】
2016032252.tif 000004
【手続補正１４】
【補正対象書類名】図面
【補正対象項目名】図１４
【補正方法】変更
【補正の内容】
【図１４】
2016032252.tif 000005
【手続補正１５】
【補正対象書類名】図面
【補正対象項目名】図１５
【補正方法】変更
【補正の内容】
【図１５】
2016032252.tif 000006
【手続補正１６】
【補正対象書類名】図面
【補正対象項目名】図２４
【補正方法】変更
【補正の内容】
【図２４】
2016032252.tif 000007